(57)【要約】【課題】有効表示エリアの外側に形成される額縁部分の更なる狭小化を実現することが可能な液晶表示装置を提供する。【解決手段】本発明に係る液晶表示装置においては、筐体を構成するキャビネット11の開口14を覆ってキャビネット11にスクリーンパネル２が固定され、該スクリーンパネル２の背面側に、液晶表示パネル５と、該液晶表示パネル５を照明するためのバックライトユニット６とが配置されている。液晶表示パネル５は、スクリーンパネル２に対して固定される一方、バックライトユニット６は、液晶表示パネル５から離間して配置され、キャビネット11に対して固定されている。【選択図】図２
2014215351.tif 000002
【特許請求の範囲】
【請求項１】
筐体を構成するキャビネットの開口を覆って該キャビネットに固定されたスクリーンパネルと、
該スクリーンパネルの背面側に配置された液晶表示パネルと、
該液晶表示パネルを照明するためのバックライトユニット
とを含む液晶表示装置において、
前記液晶表示パネルは、前記スクリーンパネルに対して固定され、
前記バックライトユニットは、該液晶表示パネルから離間して配置され、前記キャビネットに対して固定されていることを特徴とする液晶表示装置。
【請求項２】
前記バックライトユニットは、前記キャビネットに対して接着固定されている請求項１に記載の液晶表示装置。
【請求項３】
前記スクリーンパネルと液晶表示パネルとの間にはタッチ入力パネルが介在している請求項１又は請求項２に記載の液晶表示装置。
【請求項４】
前記液晶表示パネルの側縁と前記キャビネットの内側壁とが一定の間隙をおいて互いに対向している請求項１乃至請求項３の何れかに記載の液晶表示装置。
【請求項５】
前記バックライトユニットはフィルム状である請求項１乃至請求項４の何れかに記載の液晶表示装置。
【請求項６】
前記キャビネットの開口の内側壁面には、前記バックライトユニットの端部を挿入するための凹部が設けられている請求項１乃至請求項５の何れかに記載の液晶表示装置。
【発明の詳細な説明】
【技術分野】
【０００１】
本発明は、携帯電話機等の小型電子機器に装備される液晶表示装置に関するものである。
【背景技術】
【０００２】
従来、薄型の携帯電話機においては、図４に示す如く、フロントキャビネット(13)の前面開口を塞ぐ様に透明ガラス製のスクリーンパネル(２)が設置され、フロントキャビネット(13)の前面開口縁に接着剤(71)によってタッチ入力パネル(３)の外周部が固定されている。そして、スクリーンパネル(２)の背面には、タッチ入力パネル(３)が接着固定され、該タッチ入力パネル(３)の背面には、接着層(４)によって液晶表示パネル(８)が固定され、更に液晶表示パネル(８)の背面には、両面粘着テープ(70)によってバックライトユニット(９)が固定されている。
【０００３】
液晶表示パネル(８)は、前偏光板(81)、カラーフィルタ基板(82)、アレイ基板(83)及び後偏光板(84)を積層して構成されており、カラーフィルタ基板(82)とアレイ基板(83)の間に液晶層(図示省略)が介在している。
【０００４】
バックライトユニット(９)は、複数枚の光学フィルムを積層してなるフィルム積層体を具えた、エッジライト方式若しくは直下型の照明装置であって、全体が屈曲可能なシート状に形成されている(特許文献１、２)。
【０００５】
尚、組立工程では、液晶表示パネル(８)とバックライトユニット(９)とは、予め一体化されており(特許文献３)、一体化された状態で組立ラインに供給されてタッチ入力パネル(３)の背面に固定される。
【０００６】
ところで、この様な薄型の画像表示装置を具えた電子機器においては、図４に示す液晶表示パネル(８)の有効表示エリアＡの外側に形成される額縁部分の幅Ｊを出来るだけ狭く形成することが課題となっている。
額縁部分の幅Ｊは、有効表示エリアＡの境界線Ｉから液晶表示パネル(８)の側縁までの距離Ｋと、液晶表示パネル(８)の側縁からバックライトユニット(９)の側縁までの距離Ｌと、バックライトユニット(９)の側縁からフロントキャビネット(13)の内側壁までの距離Ｍと、フロントキャビネット(13)の内側壁からフロントキャビネット(13)の開口縁の内側壁までの距離Ｎと、フロントキャビネット(13)の開口縁の内側壁からフロントキャビネット(13)の外側壁までの距離Ｐとによって決まる。
【０００７】
ここで、バックライトユニット(９)の側縁からフロントキャビネット(13)の内側壁までの距離Ｍは、現状では０.３５ｍｍとなっている。
フロントキャビネット(13)の内側壁からフロントキャビネット(13)の開口縁の内側壁までの距離Ｎは、フロントキャビネット(13)にスクリーンパネル(２)を固定するために例えば０.９ｍｍが必要となっている。
【０００８】
又、フロントキャビネット(13)の開口縁の内側壁からフロントキャビネット(13)の外側壁までの距離Ｐは、フロントキャビネット(13)の意匠や必要な強度から決まり、例えば１.１５ｍｍとなっている。
上記の３つの距離Ｍ、Ｎ、Ｐは、更に縮小することも可能であるが、大幅な縮小は困難である。
【０００９】
そこで現在は、有効表示エリアＡの境界線Ｉからバックライトユニット(９)の側縁までの距離Ｑを出来るだけ小さく形成するための開発が進んでおり、有効表示エリアＡの境界線Ｉから液晶表示パネル(８)の側縁までの距離Ｋについては、現状では、液晶表示パネル(８)内に配線領域(ブラックマスク)を形成するために１.０ｍｍ程度が必要となっているが、配線領域(ブラックマスク)の狭小化によって距離Ｋを更に０.５ｍｍ程度まで縮小することが可能となっている。
【先行技術文献】
【特許文献】
【００１０】
【特許文献１】特開２００９−５６７３５号公報
【特許文献２】特開２０１２−２０９０８７号公報
【特許文献３】特開２０１３−３７１０４号公報
【発明の概要】
【発明が解決しようとする課題】
【００１１】
しかしながら、液晶表示パネル(８)にバックライトユニット(９)を固定するための両面粘着テープ(70)は有効表示エリアＡの内側へはみ出ることは許されないので、有効表示エリアＡの境界線Ｉから液晶表示パネル(８)の側縁までの距離Ｋの縮小に伴って、両面粘着テープ(70)の幅が０.５ｍｍ以下に小さくならざるを得ず、これによって両面粘着テープ(70)による接着強度が不十分となる。
【００１２】
この様な事情によって、有効表示エリアＡの境界線Ｉからバックライトユニット(９)の側縁までの距離Ｑの縮小には限界が生じていた。
残された途は、バックライトユニット(９)の側縁からフロントキャビネット(13)の内側壁までの距離Ｍを縮小することであるが、この距離Ｍは、バックライトユニット(９)の側縁をフロントキャビネット(13)の内側壁に当接させないために不可欠な隙間であって、タッチ入力パネル(３)、液晶表示パネル(８)及びバックライトユニット(９)の寸法公差や位置ずれのために、０.３５ｍｍ程度が限界となっている。
このために、有効表示エリアＡの外側に形成される額縁部分の狭小化が十分に進んでいない問題があった。
【００１３】
そこで本発明の目的は、有効表示エリアの外側に形成される額縁部分の更なる狭小化を実現することが可能な液晶表示装置を提供することである。
【課題を解決するための手段】
【００１４】
本発明に係る液晶表示装置は、扁平な筐体(１)を具え、該筐体(１)を構成するキャビネット(11)の開口(14)を覆って該キャビネット(11)にスクリーンパネル(２)が固定され、該スクリーンパネル(２)の背面側に、液晶表示パネル(５)と、該液晶表示パネル(５)を照明するためのフィルム状のバックライトユニット(６)とが配置されている。
【００１５】
ここで、前記液晶表示パネル(５)は、前記スクリーンパネル(２)と連結されることにより該スクリーンパネル(２)に対して固定される一方、前記バックライトユニット(６)は、該液晶表示パネル(５)から離間して配置され、前記キャビネット(11)と連結されることにより該キャビネット(11)に対して固定されている。
【００１６】
上記本発明の液晶表示装置においては、液晶表示パネル(５)がスクリーンパネル(２)に対して固定される一方、バックライトユニット(６)がキャビネット(11)に対して固定されており、液晶表示パネル(５)とバックライトユニット(６)とは互いに直接的な固定関係にはない。
【００１７】
従って、液晶表示パネル(５)の位置決めでは、液晶表示パネル(５)の側縁がキャビネット(11)の内側壁に当接することを回避するために、液晶表示パネル(５)の寸法公差や位置ずれを考慮すればよく、バックライトユニット(６)の寸法公差や位置ずれを考慮する必要はない。
【００１８】
又、バックライトユニット(６)を例えば両面粘着テープ(７)を用いてキャビネット(13)に接着固定する場合、両面粘着テープ(７)は液晶表示パネル(５)の側縁から十分に離間した位置に配置されることになるので、液晶表示パネル(８)の有効表示エリアとは関わりなく、十分な接着面積を確保することが出来、これによってバックライトユニット(６)を強固に固定することが可能である。
【００１９】
従って、液晶表示パネル(５)の配線領域(ブラックマスク)の狭小化によって有効表示エリアの境界線から液晶表示パネル(５)の側縁までの距離を縮小すると共に、液晶表示パネル(５)の寸法公差と位置ずれを考慮して、液晶表示パネル(５)の側縁とキャビネット(11)の内側壁との間隔を必要最小限の大きさに決定することにより、有効表示エリアの外側の額縁部分の狭小化を図ることが出来る。
【発明の効果】
【００２０】
本発明に係る液晶表示装置によれば、バックライトユニットを液晶表示パネルから切り離してキャビネットに固定するという、新規な構造の採用により、液晶表示パネルの有効表示エリアの外側に形成される額縁部分の更なる狭小化を実現することが出来る。
【図面の簡単な説明】
【００２１】
【図１】図１は、本発明の一実施形態である携帯電話機の斜視図である。
【図２】図２は、図１のＳ−Ｓ線に沿う拡大断面図である。
【図３】図３は、バックライトユニットの積層フィルム構造を説明する図である。
【図４】図４は、従来の携帯電話機の図２に対応する拡大断面図である。
【発明を実施するための形態】
【００２２】
以下、本発明を携帯電話機に実施した形態につき、図面に沿って具体的に説明する。
本発明の一実施形態である携帯電話機は、図１に示す如く合成樹脂製のフロントキャビネット(11)とバックキャビネット(12)からなる扁平な筐体(１)を具え、該フロントキャビネット(11)の表面を覆って透明ガラス製のスクリーンパネル(２)が設置されており、該スクリーンパネル(２)によって画像表示面(10)が形成される。
【００２３】
図２に示す如くフロントキャビネット(11)には、前記画像表示面(10)よりも稍大きな開口(14)が形成され、該開口(14)を覆ってスクリーンパネル(２)が設置され、筐体(１)の開口縁に接着剤(71)によってスクリーンパネル(２)の外周部が固定されている。
スクリーンパネル(２)の背面にはタッチ入力パネル(３)が接着固定され、該タッチ入力パネル(３)の背面には、接着層(４)を介して液晶表示パネル(５)が固定されている。
【００２４】
液晶表示パネル(５)は、前偏光板(51)と、カラーフィルタやブラックマスクを含むカラーフィルタ基板(52)と、ＴＦＴ回路や配線を含むアレイ基板(53)と、後偏光板(54)とから構成され、カラーフィルタ基板(52)とアレイ基板(53)との間には液晶層(図示省略)が介在している。
【００２５】
そして、液晶表示パネル(５)の背面側には所定の間隔Ｈ(例えば０.３ｍｍ)をおいてバックライトユニット(６)が配置され、該バックライトユニット(６)の外周部が両面粘着テープ(７)によってフロントキャビネット(11)の側壁に固定されている。
尚、バックライトユニット(６)のフロントキャビネット(11)に対する固定構造は、両面粘着テープ(７)による接着に限らず、接着剤による接着や、フロントキャビネット(11)との嵌合構造を採用してもよい。
【００２６】
バックライトユニット(６)は、図３に示す如く、上プリズム(61)、下プリズム(62)、拡散シート(63)、導光板(64)、及び反射シート(65)からなるフィルム積層体と、複数のＬＥＤ(図示省略)が埋設された樹脂モールド部(66)とを具えて、全体が屈曲可能なフィルム状に形成されている。
【００２７】
上記携帯電話機において、液晶表示パネル(５)の有効表示エリアＡの境界線Ｉから液晶表示パネル(５)の側縁までの距離Ｃは０.５ｍｍ、液晶表示パネル(５)の側縁からフロントキャビネット(11)の内側壁までの距離Ｄは０.２ｍｍ、フロントキャビネット(11)の内側壁からフロントキャビネット(11)の開口縁の内側壁までの距離Ｅは０.８ｍｍ、フロントキャビネット(11)の開口縁の内側壁からフロントキャビネット(11)の外側壁までの距離Ｇは０.９ｍｍである。
又、スクリーンパネル(２)の側縁からフロントキャビネット(11)の開口縁の内側壁までの距離Ｆは０.０５ｍｍである。
【００２８】
ここで、液晶表示パネル(５)の有効表示エリアＡの境界線Ｉから液晶表示パネル(５)の側縁までの距離Ｃ(０.５ｍｍ)は、液晶表示パネル(５)の配線領域(ブラックマスク)の狭小化によって達成されたものである。
液晶表示パネル(５)の側縁からフロントキャビネット(11)の内側壁までの距離Ｄ(０.２ｍｍ)は、液晶表示パネル(５)の側縁がフロントキャビネット(11)の内側壁に当接しない様に、液晶表示パネル(５)の寸法公差及び位置ずれを考慮したものである。
【００２９】
フロントキャビネット(11)の内側壁からフロントキャビネット(11)の開口縁の内側壁までの距離Ｅ(０.８ｍｍ)は、フロントキャビネット(11)にスクリーンパネル(２)を十分に強度で固定するために必要な大きさである。
又、フロントキャビネット(11)の開口縁の内側壁からフロントキャビネット(11)の外側壁までの距離Ｇ(０.９ｍｍ)は、フロントキャビネット(11)の強度や意匠を考慮したものである。
これによって、液晶表示パネル(５)の有効表示エリアＡの外側に形成される額縁部分の幅Ｂは２.４ｍｍと非常に小さくなっている。
【００３０】
従来の携帯電話機の組立工程では、液晶表示パネル(５)とバックライトユニット(６)とは予め一体化されており、一体化された状態で組立ラインに供給されてタッチ入力パネル(３)の背面に固定されていたが、上記携帯電話機の組立工程においては、液晶表示パネル(５)とバックライトユニット(６)とが互いに固定されずに切り離された状態で組立ラインに供給され、液晶表示パネル(５)はタッチ入力パネル(３)の背面に固定される一方、バックライトユニット(６)はフロントキャビネット(11)に固定される。
【００３１】
上記携帯電話機においては、液晶表示パネル(５)の配線領域(ブラックマスク)が０.５ｍｍと狭小化されると共に、液晶表示パネル(５)の側縁からフロントキャビネット(11)の内側壁までの距離Ｄが、液晶表示パネル(８)の側縁がキャビネット(13)の内側壁に当接することを回避するために必要な最小限の大きさ(０.２ｍｍ)に形成されているので、有効表示エリアＡの境界線Ｉからフロントキャビネット(11)の内側壁までの距離(Ｃ＋Ｄ)を０.７ｍｍまで縮小することが出来、ひいては有効表示エリアＡの外側の額縁部分の幅Ｂを２.４ｍｍまで縮小することが出来る。
【００３２】
又、上記携帯電話機においては、バックライトユニット(６)を構成する導光板(64)の側縁が液晶表示パネル(５)の有効表示エリアＡから十分に離間するので、導光板(64)の側縁からの反射光がスクリーンパネル(２)を透過して前方へ出射されることはない。
【００３３】
尚、本発明の各部構成は上記実施の形態に限らず、特許請求の範囲に記載の技術的範囲内で種々の変形が可能である。例えば、上記実施形態では、スクリーンパネル(２)の背面にタッチ入力パネル(３)が固定され、タッチ入力パネル(３)の背面に液晶表示パネル(５)が固定されているが、タッチ入力パネル(３)を省略し、スクリーンパネル(２)の背面に液晶表示パネル(５)を直接に固定した構成を採用することも可能である。又、上記実施の形態では、携帯電話機を具体例として挙げたが、液晶表示装置としては、特に、小型であるため、表示画面をより大きくする要求がある液晶表示装置であればよく、携帯型パーソナルコンピュータ、携帯型でタッチパネルを有するタブレット型パーソナルコンピュータ、カーナビゲーションシステムの液晶画面などにも適用が可能である。
【００３４】
又、接着剤を用いた固定に代えて両面粘着テープによる固定を採用し、或いは両面粘着テープによる固定に代えて接着剤を用いた固定を採用することも可能である。
更に又、上記の各部寸法は一例であって、これに限定されるものではない。
【符号の説明】
【００３５】
(１)  筐体
(11)  フロントキャビネット
(12)  バックキャビネット
(14)  開口
(２)  スクリーンパネル
(３)  タッチ入力パネル
(４)  接着層
(５)  液晶表示パネル
(６)  バックライトユニット
(７)  両面粘着テープ
(71)  接着剤
【図１】
2014215351.tif 000003
【図２】
2014215351.tif 000004
【図３】
2014215351.tif 000005
【図４】
2014215351.tif 000006